(57)【要約】【課題】  高感度モードで撮影されたときにも、高い描写力及び色再現性を持ち、高画質なプリントを得る。【解決手段】  レンズ付きフイルムユニット２は、前カバーユニット２１と後カバー２２とで外カバーが構成され、この内部に、本体基部２３、露光ユニット２６が内蔵され、フイルムパトローネ２８が装填されている。露光ユニット２６には、露出制御機構が組み込まれ、前カバーユニット２１、本体基部２３、及び露光ユニット２６にはデータ写し込み機構が組み込まれている。露出制御機構は露出値の異なる通常モード及び夜景モードに切り換えを行う。操作部１１を操作して夜景モードを選択すると、露出制御機構が作動して高い露出値の設定に切り換わり、撮影時には写し込み機構によって写真フイルム３０にビットマークデータが写し込まれる。【選択図】        図３
2005283662.tif 000002
【特許請求の範囲】
【請求項１】
複数の異なる露出値にそれぞれ対応した露出モードの間で切り換え可能な露出制御機構と、写真フイルムの各コマに対してビットマークからなるデータを光学的に写し込むデータ写し込み機構とが組み込まれたレンズ付きフイルムユニットにおいて、
前記露出モードのうち、露出値が所定値よりも高いものが選択されたときには、前記データ写し込み機構を動作させて前記露出モードの選択に基づくモード選択データを前記写真フイルムに写し込むことを特徴とするレンズ付きフイルムユニット。
【請求項２】
複数の異なる露出値にそれぞれ対応した露出モードの間で切り換え可能な露出制御機構と、写真フイルムの各コマに対してビットマークからなるデータを光学的に写し込むデータ写し込み機構とが組み込まれたレンズ付きフイルムユニットにおいて、
前記露出モードのうち、露出値が所定値よりも低いものが選択されたときには、前記データ写し込み機構を動作させて前記露出モードの選択に基づくモード選択データを前記写真フイルムに写し込むことを特徴とするレンズ付きフイルムユニット。
【請求項３】
複数の異なる露出値にそれぞれ対応した露出モードの間で切り換え可能な露出制御機構と、写真フイルムの各コマに対してビットマークからなるデータを光学的に写し込むデータ写し込み機構と、ストロボ機構とが組み込まれたレンズ付きフイルムユニットにおいて、
前記露出モードのうち、露出値が所定値よりも高いものが選択され、且つストロボ発光せずに撮影を行うときには、前記データ写し込み機構を動作させて第１のモード選択データを前記写真フイルムに写し込み、前記露出モードのうち、露出値の高いものが選択され、且つストロボ発光しながらの撮影を行うときには、前記データ写し込み機構を動作させて第２のモード選択データを写し込むことを特徴とするレンズ付きフイルムユニット。
【請求項４】
製造時に予めフイルム種別コードデータが記録された前記写真フイルムを使用することを特徴とする請求項１ないし３いずれか記載のレンズ付きフイルムユニット。
【請求項５】
前記写真フイルムに露光された各撮影コマのプリント処理を行う際に、請求項１ないし３いずれか記載の前記モード選択データを読み取り、これらのデータから読み取った条件に基づいて前記プリント処理を行うことを特徴とするプリント方法。
【請求項６】
製造時に予めフイルム種別コードデータが記録されるとともに、撮影時に請求項１ないし３いずれか記載の前記データ写し込み装置によって前記モード選択データが写し込まれた写真フイルムを使用し、この写真フイルムに露光された各撮影コマのプリント処理を行う際に、前記フイルム種別コードデータ及び前記モード選択データを読み取り、これらのデータから読み取った条件に基づいて前記プリント処理を行うことを特徴とするプリント方法。
【発明の詳細な説明】
【技術分野】
【０００１】
本発明は、露出値を切り換え可能とし、且つビットマークなどのデータを写真フイルム上に光学的に写し込むレンズ付きフイルムユニット、及びこのレンズ付きフイルムユニットを使用し、データが記録された写真フイルムをプリントするプリント方法に関するものである。
【背景技術】
【０００２】
簡単な撮影機構が内蔵されたユニット本体に未露光の写真フイルムが予め装填されたレンズ付きフイルムユニットが広く知られている。最近では、例えば特許文献１に記載されているように、夜間や室内での描写力を向上させるために、ＩＳＯ８００以上の高感度タイプの写真フイルムを使用するとともに、昼間や屋外に合わせた露出値に設定された第１のモードと、夜間や室内に合わせた露出値に設定された第２のモードとの間で露出値を切り換える露出制御機構を設けたものが一般的となってきており、例えば、出願人からも「写るんですｎｉｇｈｔ＆ｄａｙ（商品名）」が製造・販売されている。
【０００３】
【特許文献１】特開２００３−１４０２２４号公報
【発明の開示】
【発明が解決しようとする課題】
【０００４】
しかしながら、レンズ付きフイルムユニットで使用されている写真フイルムは、いわゆるデーライトフィルム（日中光・太陽光の下での撮影に適した写真フィルム）であり、光源が太陽光である場合には、高い色再現性を持つものの、夜間や室内などの撮影では、白熱電球や、蛍光灯など様々な種類の光源があり、フィルムの色調はその光源の色温度によって変わってしまうため、色補正が必要となる。上述したような露出切り換え機構を備えたレンズ付きフイルムユニットで露出モードを切り換えることによってシステム感度を上げ、露光を増やした場合でも、デーライトフイルムを使用している限りこの色補正を行わなければならず、正確な色調のプリントを得るには、非常に手間が掛かっていた。
【０００５】
本発明は、上記の事情を考慮してなされたもので、夜間や室内など高感度の露光が必要となるモードで撮影されたときにも、高い描写力及び色再現性を持ち、高画質なプリントを得ることを可能とし、且つプリント処理を容易に行うことができるレンズ付きフイルムユニット及びプリント方法を提供することを目的とする。
【課題を解決するための手段】
【０００６】
前記目的を達成するために、本発明のレンズ付きフイルムユニットでは、複数の異なる露出値にそれぞれ対応した露出モードの間で切り換え可能な露出制御機構と、写真フイルムの各コマに対してビットマークからなるデータを光学的に写し込むデータ写し込み機構とが組み込まれたレンズ付きフイルムユニットにおいて、前記露出モードのうち、露出値が高いものが選択されたときには、前記データ写し込み機構を動作させて前記露出モードの選択に基づくモード選択データを前記写真フイルムに写し込むことを特徴とする。
【０００７】
また、本発明のレンズ付きフイルムユニットでは、複数の異なる露出値にそれぞれ対応した露出モードの間で切り換え可能な露出制御機構と、写真フイルムの各コマに対してビットマークからなるデータを光学的に写し込むデータ写し込み機構とが組み込まれたレンズ付きフイルムユニットにおいて、前記露出モードのうち、露出値が低いものが選択されたときには、前記データ写し込み機構を動作させて前記露出モードの選択に基づくモード選択データを前記写真フイルムに写し込むことを特徴とする。
【０００８】
あるいは、本発明のレンズ付きフイルムユニットでは、複数の異なる露出値にそれぞれ対応した露出モードの間で切り換え可能な露出制御機構と、写真フイルムの各コマに対してビットマークからなるデータを光学的に写し込むデータ写し込み機構と、ストロボ機構とが組み込まれたレンズ付きフイルムユニットにおいて、前記露出モードのうち、露出値が高いものが選択され、且つストロボ発光せずに撮影を行うときには、前記データ写し込み機構を動作させて第１のモード選択データを前記写真フイルムに写し込み、前記露出モードのうち、露出値の高いものが選択され、且つストロボ発光しながらの撮影を行うときには、前記データ写し込み機構を動作させて第２のモード選択データを写し込むことを特徴とする。
【０００９】
なお、本発明では、製造時に予めフイルム種別コードデータが記録された前記写真フイルムを使用することが好ましい。
【００１０】
本発明のプリント方法は、前記写真フイルムに露光された各撮影コマのプリント処理を行う際に、前記モード選択データを読み取り、これらのデータから読み取った条件に基づいて前記プリント処理を行うことを特徴とする。
【００１１】
また、本発明のプリント方法は、製造時に予めフイルム種別コードデータが記録されるとともに、撮影時に前記データ写し込み装置によって前記モード選択データが写し込まれた写真フイルムを使用し、この写真フイルムに露光された各撮影コマのプリント処理を行う際に、前記フイルム種別コードデータ及び前記モード選択データを読み取り、これらのデータから読み取った条件に基づいて前記プリント処理を行うことを特徴とする。
【発明の効果】
【００１２】
本発明では、複数の異なる露出値にそれぞれ対応した露出モードの間で切り換え可能な露出制御機構と、写真フイルムの各コマに対してビットマークからなるデータを光学的に写し込むデータ写し込み機構とが組み込まれたレンズ付きフイルムユニットで、撮影時にデータ写し込み機構を動作させて露出モードの選択に基づくモード選択データを写し込んでおり、プリント処理を行う際に、このモード選択データを読み取り、これらのデータに基づいてプリント処理を行うので、夜間や室内など高感度の露光が必要となるモードで撮影されたときにも、高い描写力及び色再現性を持ち、高画質なプリントを得ることができ、且つプリント処理を容易に行うことができる。
【００１３】
また、製造時に予めフイルム種別コードデータが記録されるとともに、撮影時にデータ写し込み装置によってモード選択データが写し込まれた写真フイルムを使用し、プリント処理を行う際に、フイルム種別コードデータ及びモード選択データを読み取り、これらのデータから読み取った条件に基づいてプリント処理を行うので、さらに、効率的にプリント処理を行うことが可能となり、高い描写力及び色再現性を持ち、高画質なプリントを容易に得ることができる。
【００１４】
さらにまた、露出モードのうち、露出値が高いものが選択され、且つストロボ発光せずに撮影を行うときには、第１のモード選択データを前記写真フイルムに写し込み、露出モードのうち、露出値の高いものが選択され、且つストロボ発光しながらの撮影を行うときには、第２のモード選択データを写し込むことで、ストロボ光も考慮した色補正などの処理を行うことが可能となり、より高画質なプリントを容易に得ることができる。
【発明を実施するための最良の形態】
【００１５】
レンズ付きフイルムユニット２には、図１に示すように、外面に、撮影レンズ３、巻き上げノブ４、シャッタボタン５、ファインダ対物レンズ６、撮影枚数表示窓７、ストロボ発光部１０２、モード選択用の操作部１１、及びデータ写し込み用の採光窓１２等が露呈して設けられている。
【００１６】
操作部１１は、図１に示す通常モード位置と図２に示す夜景モード位置との二位置の間で移動自在となっている。操作部１１を通常モード位置及び夜景モード位置の間で切り換えて撮影を行うことで、後述する露出制御機構によって露出値が切り換えられ、被写体光源に適した撮影を行うことができる。さらに操作部１１を通常モード位置から夜景モード位置に切り換えて撮影を行うとき、後述するデータ写し込み機構によって夜景モード下での撮影である旨を表すビットマーク（モード選択ビットマーク）１５（図４参照）を各撮影コマに対応した位置に光学的に写し込む。本実施形態のレンズ付きフイルムユニット２では、ビットマーク１５を写し込むための写し込み光源として、外光を使用する。
【００１７】
レンズ付きフイルムユニット２は、図３に示すように、前カバーユニット２１と後カバー２２とで外カバーが構成されており、外カバーの内部に、本体基部２３、露光ユニット２６が内蔵され、フイルムパトローネ２８が装填されている。そして、データ写し込み機構は、前カバーユニット２１、本体基部２３、及び露光ユニット２６に分散して組み込まれている。
【００１８】
本体基部２３には、露光開口２７を挟んだ一方側にフイルムパトローネ２８を収納するカートリッジ室２９が設けられ、また他方側にフイルムパトローネ２８から未露光の写真フイルム３０をロール状に巻回した状態で収納するフイルムロール室３１が設けられている。本実施形態においては、写真フイルム３０としてはフイルム感度がＩＳＯ１６００のデーライトフイルムを使用している。なお、写真フイルム３０のフイルム感度、種類はこれに限るものではない。カートリッジ室２９の上には、巻き上げノブ４が回転自在に取り付けられている。巻き上げノブ４は、一体に形成された回転軸がフイルムパトローネ２８のスプールに係合している。巻き上げノブ４を外部からフイルム巻き上げ方向に回転操作すると、撮影済みの写真フイルム３０をフイルムパトローネ２８の内部に巻き上げる。
【００１９】
本実施形態では、図４に示すような写真フイルム３０を使用している。図４（Ａ）に示す写真フイルムは、工場での製造後、レンズ付きフイルムユニットに装填される前の状態を示すものである。この写真フイルム３０は、１３５タイプのものであり、撮影領域３０ａと写し込み領域３０ｂとが設定されているとともに、パーフォレーション３０ｃが形成されており、さらに、工場での製造時にフイルム種別コードデータ３１が予め記録されている。また、従来の１３５タイプフイルムと同様にＤＸコードデータ３２も形成されている。このような写真フイルム３０は、フイルムパトローネ２８に収納されてレンズ付きフイルムユニット２に装填されて使用され、レンズ付きフイルムユニット２に組み込まれたデータ写し込み機構によって、写し込み領域３０ｂにビットマーク１５が写し込まれる（図４（Ｂ）に示す状態）。このビットマーク１５は、後述するようにプリント処理の際にプリンタプロセサによって識別され、ビットマーク１５を記録した撮影コマに対しては、夜景モード下での撮影に適した色補正や輪郭強調処理などの画像補正処理が施される。すなわち、プリント処理の際に、白熱電球や、蛍光灯などの光源の下で撮影されたことを考慮して自然な色が再現されるようにする色補正（例えばタングステン光下での撮影により発生した赤みを取り除くなどの色補正）などが行われるものである。
【００２０】
フイルム種別コードデータ３１は、写真フイルム３０の側縁付近でＤＸコードデータ３２とは反対側に位置しており、ＤＸコードデータ３２と同様に、写真フイルム３０への潜像記録、例えばフイルム種別コード３１を除く部分をマスクし、感光層に光学的な記録、例えばＬＥＤなどで照射することによってバーコードデータが形成されている。このフイルム種別コードデータ３１は、図中上段（写真フイルム１２０の側縁に近い）側で、決まった幅のバー３１ｃを等間隔で配列して形成されたクロックトラック３１ａと、下段側でクロックトラック３１ａに同期して、クロックトラック３１ａのバー３１ｃの位置、あるいは、バー３１ｃ同士の間の位置に形成され、写真フイルム３０のフイルム種別情報を表すデータトラック３１ｂとから構成される。そして、このフイルム種別コードデータ３１を読取る際にはデータトラック３１ｂのバー３１ｄが、クロックトラック３１ａのバー３１ｃによって設定されるタイミングの何れに対応しているかを判別してデータの値が決まると共に、このデータの値を予め設定されたデータテーブルのデータと参照することで各種情報が判別されるものとなっている。本実施形態においては、このフイルム種別コードデータ３１には、夜景モード下での撮影時に色補正などの画像処理を行う旨の情報が含まれており、このフイルム種別コードデータ３１、及び上述したモード選択ビットマーク１５に基づいてプリンタプロセサでのプリント処理の内容が決定する。
【００２１】
図３に示すように、露光開口２７の前には、露光ユニット２６が取り付けられ、本体基部２３の一部２３ａと，露光ユニット２６の一部２６ａとを組み合わせることで暗箱が形成される。暗箱は、撮影レンズ３を透過した撮影光を露光開口２７に導く。この暗箱内には、データ写し込み機構を構成する第１ライトガイド３３が取り付けられる。第１ライトガイド３３は、外光を取り入れる入射面３３ａと、入射した光を写真フイルム３０に第１ビットマーク１５として写し込むための射出面３３ｂとをもっている。
【００２２】
本体基部２３の背面は開口しており、ここにフイルムパトローネ２８及び写真フイルム３０を装填した後に後カバー２２を取り付けることで背面が遮光される。また、フイルムロール室３１とカートリッジ室２９との底面は開口している。後カバー２２には、一部を薄肉にして開閉自在にしたプルトップ式の蓋３６，３７が設けられている。一方の蓋３７は、フイルムロール室３１の底面を塞ぐための蓋であり、また、他方の蓋３６は、カートリッジ室２９の底面を塞ぐとともに、撮影済みの該ユニット２からフイルムパトローネ２８を取り出すときに開かれる。
【００２３】
露光ユニット２６は、撮影レンズ３、シャッタ機構、露出制御機構、スプロケットを有するフイルム巻き止め機構、シャッタチャージ機構、フイルムカウンタ機構、及びファインダ光学系などを一体的に組み込んだユニット部品である。ファインダ光学系は、凹レンズの対物レンズ６と凸レンズの接眼レンズを有する逆ガリレオ式のファインダとなっている。
【００２４】
シャッタ機構は、シャッタレリーズに応答してシャッタ羽根３９の一端の突起部３９ａを蹴飛ばすことで撮影光軸３ａを横切るようにシャッタ羽根３９をシャッタ開口４０の前面で一往復揺動させる蹴飛ばし式のタイプである。シャッタ開口４０は、露光ユニット２６の暗箱の前面のうちの撮影光軸３ａ上に設けられている。
【００２５】
シャッタ羽根３９は、詳しくは図５に示すように、回転軸を挟んで前記突起部３９ａとは逆側の他端に、シャッタ開口４０を開閉する撮影光用開閉部４２を設けており、突起部３９ａの下方にシャッタ開閉バネ４１の一端が掛けられている。このシャッタ羽根３９は、シャッタ開閉バネ４１によってシャッタ開口４０を塞ぐ方向に付勢されている。さらに、露光ユニット２６には、露出制御機構を構成するシャッタ速度切り換え部材５０（図５，６参照）が組み込まれ、シャッタ速度、すなわちシャッタ開口４０が開放される時間が切り換えられるようになっている。
【００２６】
シャッタ速度切り換え部材５０は、図５に示すように、回転軸５０ａを中心にして一端側の連結軸５０ｂが、シャッタ開閉バネ４１に掛けられ、他端側の連結溝５０ｃが操作部１１の連結軸１１ａに嵌合している。シャッタ開閉バネ４１は、シャッタ羽根３９とシャッタ速度切り換え部材５０との間で張力が付与された状態で取り付けられている。これによって、操作部１１のスライド移動に連動してシャッタ速度切り換え部材５０が回動すると、シャッタ開閉バネ４１に付与される張力が変化するので、シャッタ開閉バネ４１がシャッタ羽根３９を付勢する力も変化する。そしてこのシャッタ羽根３９を付勢する付勢力が変化することによって、シャッタ速度が切り換えられる。本実施形態においては、操作部１１が通常モード位置にあるときには、図６（Ａ）に示すように、シャッタ速度が速い（シャッタ開閉バネ４１の張力が大きい）状態に、夜景モード位置にあるときには、図６（Ｂ）に示すように、それよりもシャッタ速度が遅い（シャッタ開閉バネ４１の張力が小さい）状態に切り換えられる。
【００２７】
シャッタ羽根３９の前面は、シャッタカバー４３によりカバーされる。シャッタカバー４３には、露出制御機構を構成する絞り切り換え部材５１が設けられている。この絞り切り換え部材５１には、詳しくは図５，６に示すように、複数の異なる絞り値に対応する絞り開口５１ａ，５１ｂが形成されており、その下端には、操作部１１の連結軸１１ｂと連結する連結溝５１ｃが形成されている。絞り切り換え部材５１は、操作部とともにスライド移動することによって、絞り開口５１ａ，５１ｂのいずれかが撮影光軸３ａ上に位置して絞りが切り換えられるようになっており、その絞り開口の前面に撮影レンズ３が取り付けられている。本実施形態においては、操作部１１が通常モード位置にあるとき、図６（Ａ）に示すように、絞り値が大きく（小さい絞り開口５１ａが光軸３ａ上に位置する）、夜景モード位置にあるときには、図６（Ｂ）に示すように、それよりも絞り値が小さく（大きい絞り開口５１ｂが光軸３ａ上に位置する）なるように設定されている。
【００２８】
この露光ユニット２６に組み込まれているシャッタ速度切り換え部材５０及び絞り切り換え部材５１から露出制御機構が構成される。なお、レンズ付きフイルムユニット２に組み込まれる露出制御機構の構成としては、上述のシャッタ速度切り換え部材５０及び絞り切り換え部材５１からなる構成に限るものではなく、シャッタ速度及び絞り値を切り換える周知の構成であればよい。
【００２９】
そして、露光ユニット２６に組み込まれている露出制御機構は、モード選択用の操作部１１の操作によって、システム感度Ｇの低い通常モードと、システム感度Ｇの高い夜景モードという２種類の露出値の設定となるように、シャッタ速度及び絞りを切り換える。なお、このシステム感度Ｇとは、ＩＳＯ感度Ｓの写真フイルムを内蔵したレンズ付きフイルムユニットで、シャッタ速度Ｔ（秒）、絞り値Ａの構成で撮影したときに、写真フイルムに最適な露光量を与えることができる値を表すものであり、このシステム感度Ｇは以下の式（１）で定義される。
Ｇ＝２log2（Ａ）＋log2（１／Ｔ）−log2（Ｓ／１００）‥‥（１）
この式（１）より求められたシステム感度Ｇの値が小さい程、低い被写体輝度でも撮影が可能ということになる。
【００３０】
なお、この露出ユニット２６に組み込まれている露出制御機構の設定では、システム感度Ｇの値が小さいほうを夜景モード、大きいほうを通常モードとして２つのモードを設定しているが、このモード設定の基準となるシステム感度をＧL とすると、その値は、８．０＜ＧL ＜１０．０とすることが好ましく、さらに好ましくはＧL ＝９．０の近傍とするとよい。そして、この基準のシステム感度ＧL よりシステム感度Ｇの値が大きい（露出値が低い）ほうのモードと、基準のシステム感度ＧL よりシステム感度Ｇの値が小さい（露出値が高い）ほうのモードとの間で切り換えるようにすればよい。本実施形態においては、夜景モード及び通常モードの設定は以下に示すようになっている。なお、この露出値の設定は１つの例としてあげるものであり、本実施形態はこれに限るものではない。  
【００３１】
先ず、通常モードの露出値の設定としては、絞り値Ａ1 がＦ１４、シャッタ速度Ｔ１が１／１２０（秒）、フイルム感度（ＩＳＯ感度）Ｓ1 が１６００の構成で、上記の式（１）より通常モードのシステム感度Ｇ1 が１０．５となっている。そして、夜景モードの露出値の設定としては、絞り値Ａ2 がＦ６．３、シャッタ速度Ｔ2 が１／４５（秒）、フイルム感度（ＩＳＯ感度）Ｓ1 が１６００の構成で、上記の式（１）より夜景モードのシステム感度Ｇ2 が６．８となっている。このように夜景モードのシステム感度Ｇ2 の方が通常モードのシステム感度Ｇ1 より大幅に小さい値に設定されているため、露光量が増加し、夜間や室内などでも高い描写力での撮影が可能となっている。また、この２つのモードは、上述したように、基準となるシステム感度ＧL ( ８．０＜ＧL ＜１０．０) より値が大きい方が通常モード、小さいほうが夜景モードとなっている。
【００３２】
さらに、露光ユニット２６の暗箱前面には、第１データ開口４５が設けられている。この第１データ開口４５は、図５に示すように、シャッタ羽根３９に形成されたデータ写し込み用開閉部４４によって開閉される。データ写し込み用開閉部４４は、撮影光用開閉部４２から斜め上に突出して形成されている。第１データ開口４５は、外光を第１ライトガイド３３の入射面３３ａに導くための第１データ光路１５ａ上に設けられている。なお、シャッタカバー４３にも、第１データ光路１５ａ上に開口４７が設けられている。
【００３３】
前カバーユニット２１は、カバー基部５５と化粧カバー５６とで構成され、これらの間にデータ写し込み機構の一部を構成する操作板６０、第１遮蔽レバー６５が内蔵されている。採光窓１２は、化粧カバー５６の第１データ光路１５ａ上に設けられており、また、カバー基部５５のうちの第１データ光路１５ａ上には、シャッタカバー４３に設けた開口４７に外光を通す開口５７が形成されている。操作板６０は、操作部１１と一体に形成されており、外部操作により水平方向に移動する（図５，６参照）。
【００３４】
操作部１１が通常モード位置のときには、モード選択ビットマーク１５を写し込まないため、第１データ開口４５を遮蔽する必要がある。この遮蔽を第１遮蔽レバー６５で行っている。第１遮蔽レバー６５は、回転軸を挟んだ一端６５ａが操作板６０に連係しており、操作部１１が通常モード位置のときに、その他端に設けた遮蔽板６５ｂが第１データ光路１５ａ上に挿入されて第１データ開口４５を遮蔽する遮蔽位置（図６（Ａ）に示す状態）と、夜景モード位置のときに、第１データ光路１５ａから退避して第１開口４５を開放する開放位置（図６（Ｂ）に示す状態）との間で回転する。なお、第１遮蔽レバー６５は、一端６５ａが操作板６０に常に連結するようにバネ６９により開放位置に向けて付勢されている。
【００３５】
第１ライトガイド３３は、図７に示すように、第１データ開口４５から入射したデータ光を写真フイルム３０の近傍まで導光する第１データ光路１５ａを形成している。第１データ光路１５ａから導かれたデータ光は撮影コマごとに写し込まれ、その位置は、撮影領域３０ａの範囲外でかつフイルム幅方向の上端に設定された写し込み領域３０ｂにそれぞれ写し込まれる。
【００３６】
そして、上述のレンズ付きフイルムユニット２は撮影終了後、現像所に依頼してユニット本体ごとフイルムパトローネ２８が引き渡される。現像所では、先ず、写真フイルム３０の現像処理が行われる。現像処理を終えた写真フイルム３０は、図８に示す構成のプリンタプロセサ８０にかけられてプリント処理が行われる。プリンタプロセサ８０は、フイルムスキャナ８１，コントローラ８２，デジタルプリンタ８３，ペーパープロセサ８４及びペーパーカッタ８５から構成されている。更に、フイルムスキャナ８１には、モニタ８６，キーボード８７が接続され、また、コントローラ８２には、ハードディスク（ＨＤ）８８が接続されている。
【００３７】
現像済みの写真フイルム３０は、フイルムスキャナ８１にセットされる。この写真フイルム３０には、上述したように予め製造時に撮影コマ毎に１個ずつのフイルム種別コードデータ３１が潜像記録されるとともに、撮影時に写し込み機構によってモード選択ビットマーク１５が潜像記録されており、これらのデータが現像によって目視可能に現れる。プリンタプロセサ８０は、これらフイルム種別コードデータ３１及びビットマーク１５を読み取り、これらのデータから読み取った条件に基づいて、写真フイルム３０に露光された各撮影コマのプリント処理を行う。
【００３８】
次に上記構成の作用に説明する。先ずレンズ付きフイルムユニット２による撮影時のシーケンスを図９に示すフローチャートを用いて説明する。昼間又は室外の撮影条件下で、通常モードで撮影を行う場合には、操作部１１を通常モード位置にセットする。これにより、図６（Ａ）に示すように、第１遮蔽レバー６５が遮蔽位置に位置する。この状態では、データ写し込み用開閉部４４の前で第１遮蔽レバー６５の遮蔽板６５ｂが第１データ光路１５ａを遮断している。また、このとき、上述のように、システム感度Ｇ1 が１０．５、絞り値Ａ1 がＦ１４、シャッタ速度Ｔ1 が１／１２０（秒）の設定通りになるように露出制御機構が制御されている。
【００３９】
撮影は、巻き上げノブ４を回転操作して未露光の写真フイルム３０をフイルムパトローネ２８に向けて巻き上げる。このフイルム移送によりスプロケット８０が回転し、その回転力を利用してシャッタチャージが行われるとともに、１コマ分のフイルム移送に応じたスプロケット８０の回転をフイルム巻き止め機構が検知することでフイルム巻き止めが作動してスプロケット８０と巻き上げノブ４との回転をロックする。
【００４０】
その後にシャッタボタン５を押下すると、シャッタ羽根３９が一往復揺動して写真フイルム３０に撮影光が露光される。このときに、データ写し込み用開閉部４４が第１データ開口４５を開閉するが、データ写し込み用開閉部４４の前で第１遮蔽レバー６５が第１データ光路１５ａを遮断しているので、ビットマーク１５が写真フイルム３０に写し込まれることはない。
【００４１】
室内、又は夜間の撮影条件の下で、夜景モードで撮影を行うときには、操作部１１を夜景モード位置にセットする。これにより、図６（Ｂ）に示すように、第１遮蔽レバー６５が開放位置に位置する。この状態では、第１データ光路１５ａはデータ写し込み用開閉部４４から採光窓１２までの間で開放されている。また、このとき、上述のように、システム感度Ｇ2 が６．８、絞り値Ａ2 がＦ６．３、シャッタ速度Ｔ2 が１／４５（秒）の設定通りになるように露出制御機構が作動する。
【００４２】
その後にシャッタボタン５を押下すると、データ写し込み用開閉部４４が第１データ開口４５を開閉する。このとき、第１データ光路１５ａは開放されているので、採光窓１２から入射する外光を利用してビットマーク１５がその時点の撮影コマに対応した位置に写し込まれる。
【００４３】
このように、夜景モードが選択されたときには、モード選択ビットマーク１５が各撮影コマごとに写し込まれる。最後の撮影コマへの撮影が完了すると、フイルムカウンタ機構が残り枚数の無い旨の表示位置に枚数表示板を回転させる。枚数表示板がその回転位置に回転することに連動してフイルム巻き止め機構の作動が禁止される。これにより、全部の写真フイルム３０をフイルムパトローネ２８に巻き上げることができる。
【００４４】
撮影が終了したレンズ付きフイルムユニット２は、写真プリントのために現像所に提出される。現像所では、蓋３６を開けてカートリッジ室２９の底面からフイルムパトローネ２８をスプール軸方向に取り出す。このフイルムパトローネ２８はプリンタプロセサ８０によるプリント処理工程に回される。このプリント処理の際のシーケンスを図１０に示すフローチャートに従って説明する。まず、撮影済みのレンズ付きフイルムユニットからフイルムパトローネ２８を取り出して自動現像機にセットし、写真フイルム３０の現像処理を行う。この現像処理の際、写真フイルム３０は、フイルムパトローネ２８から取り出される。次に、この現像済みの写真フイルム３０をプリンタプロセサ８０のフイルムスキャナ８１にセットする。
【００４５】
フイルムスキャナ８１は、写真フイルム３０を搬送しながら、各撮影コマのプレスキャンを行ってフイルム種別コードデータ３１及びビットマーク１５を読み取る。フイルムスキャナ８１は、フイルム種別コードデータ３１及びビットマーク１５を検出すると、スキャン密度を変更し、本スキャンを行う。この時、各撮影コマの画像の他、各撮影コマのコマ番号データもスキャニングされる。
【００４６】
各撮影コマの画像データは、対数変換やＡ／Ｄ変換されてデジタル化され、これが内蔵するフレームメモリに赤色（Ｒ），緑色（Ｇ），青色（Ｂ）の各色毎に記憶される。そして、フレームメモリから読み出された各色の画像データに基づいてモニタ８６に表示される。各撮影コマから読み取られた画像データ，フイルム種別コードデータ３１、ビットマークデータ１５及びコマ番号データは、フイルムスキャナ８１のフレームメモリから読み出され、コントローラ８２を介してハードディスク（ＨＤ）８８の画像ファイルに各コマの記録順に記録される。次に、コントローラ８２は、ハードディスク８８の画像記憶ファイルから画像データ，フイルム種別コードデータ３１、ビットマークデータ１５及びコマ番号データを読み出して、これをデジタルプリンタ８３に送る。
【００４７】
デジタルプリンタ８３は、コントローラ８２からの画像データとフイルム種別コードデータ３１、ビットマーク１５から読み取られた各サービス種別及びその処理条件に基づいて画像を形成するようにレーザー光による走査露光方式でカラーペーパーの乳剤面に順次に焼付露光する。本実施形態では、上述したようにフイルム種別コードデータ３１には、夜景モード下での撮影時に色補正などの画像処理を行う旨の情報が含まれており、モード選択ビットマーク１５が記録されている場合、この情報に基づいて色補正などを施して画像を形成し、焼付露光する。焼付露光済みのカラーペーパー９０は、周知のペーパープロセサ８４へ送られ、ここで現像処理される。現像処理を終えたカラーペーパーはペーパーカッター８５で１枚ずつ切り離され、プリンタプロセサ８０の外部へ排出される。このように、ビットマーク１５を記録した撮影コマ１７に対しては、上述した光源の違いを考慮した色補正などを施してプリント処理が行われる。勿論、ビットマーク無しの撮影コマに対しては通常プリント処理となる。プリント処理終了後、プリント写真とネガがユーザーに戻される。
【００４８】
上記のようにして、夜景モードで撮影したときには、ビットマーク１５を写真フイルムに写し込み、プリント処理の際には、ビットマーク１５に基づいて色補正などの画像処理を行っているので、夜間や室内の撮影でも、描写力及び色再現性が高く、高画質なプリントを得ることができる。
【００４９】
上記第１の実施形態においては、システム感度の低い通常モードと、システム感度の高い夜景モードとの間で切り換えたときのみビットマークを写真フイルムに記録し、このモード選択ビットマークを読み取ってプリント処理を行っているが、本発明はこれに限るものではなく、上記の通常モード及び夜景モードの間でのモード選択に加えて、レンズ付きフイルムユニットにストロボ装置を設け、このストロボ装置によるストロボ発光の有無についても写真フイルムに記録し、プリント処理に利用することによって、さらに効果を高めることができる。以下で説明する第２実施形態では、通常モード及び夜景モード間のモード選択、及びストロボ発光の有無についてビットマークデータ記録し、このビットマークデータに基づいてプリント処理した場合について説明する。なお、図１１〜図１５，図１７においては、上記実施形態と同様の部品及び部材については同符号を付し、説明を省略する。
【００５０】
本実施形態のレンズ付きフイルムユニット１００には、図１１に示すように、外面に、撮影レンズ３、巻き上げノブ４、シャッタボタン５、ファインダ対物レンズ６、撮影枚数表示窓７、ストロボ発光部１０２、充電完了表示部１０３、ストロボ充電スイッチ１０４、プリントモード選択用の操作部１１、及びデータ写し込み用の採光窓１２等が露呈して設けられている。操作部１１は、上記第１の実施形態と同様に、通常モード位置及び夜景モード位置の間で切り換えられ、この操作部１１の位置に応じて露出制御機構によってシステム感度が切り換えられ、被写体光源に適した撮影を行うことができる。さらに操作部１１を通常モード位置から夜景モード位置に切り換えて撮影を行うとき、夜景モード下での撮影である旨を表すビットマーク（モード選択ビットマーク）を各撮影コマに対応した位置に光学的に写し込む。
【００５１】
さらに、ストロボ充電スイッチ１０４を図１１に示すＯＦＦ位置から図１２に示すＯＮ位置に移動操作してストロボ撮影を行うと、ストロボ撮影である旨を表すビットマーク（ストロボ撮影ビットマーク）を撮影コマに対応した位置で、かつモード選択ビットマークとは異なる位置に光学的に写し込む。本実施形態のレンズ付きフイルムユニット１００では、モード選択及びストロボ撮影ビットマークを写し込むための写し込み光源として、外光を使用する。なお、ストロボ充電スイッチ１０４をＯＮ位置にすることに連動して充電完了表示部１０３が外部に飛び出す。充電完了表示部１０３は透明なプラスチックで形成されたライトガイドとなっており、ストロボ充電が完了したときに内部に設けたストロボ充電完了ランプの点灯又は点滅を外部に導いて表示する。
【００５２】
レンズ付きフイルムユニット１００は、図１３に示すように、前カバーユニット１０７と後カバー２２とで外カバーが構成されており、外カバーの内部に、本体基部２３、カートリッジ付きの写真フイルム２４、ストロボユニット１０５、露光ユニット１０６が内蔵されている。そして、データ写し込み機構は、前カバーユニット１０７、ストロボユニット１０５、本体基部２３、及び露光ユニット１０６に分散して組み込まれている。さらに、露光ユニット１０６には、上記第１の実施形態の露光ユニット２６と同様に露出制御装置が組み込まれている。なお、本実施形態においては、上記第１の実施形態と同様の写真フイルム３０を使用しているが、フイルム感度のみ異なる（ＩＳＯ３２００）ものを使用している。なお、写真フイルム３０のフイルム感度はこれに限るのではない。
【００５３】
また、本実施形態においては、夜景モード及び通常モードの設定は以下に示すようになっている。なお、この露出値の設定は１つの例としてあげるものであり、本実施形態はこれに限るものではない。
【００５４】
先ず、通常モードの露出値の設定としては、絞り値Ａ1 がＦ２０、シャッタ速度Ｔ1 が１／１２０（秒）、フイルム感度（ＩＳＯ感度）Ｓ1 が３２００の構成で、上記の式（１）より通常モードのシステム感度Ｇ1 が１０．６となっている。そして、夜景モードの露出値の設定としては、絞り値Ａ2 がＦ４、シャッタ速度Ｔ2 が１／４５（秒）、フイルム感度（ＩＳＯ感度）Ｓ1 が３２００の構成で、上記の式（１）より夜景モードのシステム感度Ｇ2 が４．５となっている。また、この２つのモードは、上記第１の実施形態と同様に、基準となるシステム感度ＧL ( ８．０＜ＧL ＜１０．０) より値が大きい方が通常モード、小さいほうが夜景モードとなっている。
【００５５】
第１ライトガイド３３と並列に配置された第２ライトガイド１０９は、図１４に示すように、外光を取り入れる入射面１０９ａと入射した光を写真フイルム３０にストロボ撮影ビットマーク１１０として写し込むための射出面１０９ｂとをもっており、第１ライトガイド３３と同様に、第２データ開口１１１から暗箱２６ａ，２３ａに入射したデータ光を写真フイルム３０へ導光する第２データ光路１１０ａを形成している。第１及び第２ライトガイド３３，１０９の射出面３３ｂ，１０９ｂは、図１５に示すように、写真フイルム３０の近傍に位置しており、ビットマーク１５，１１０が異なるマークとなるように、フイルム給送方向での長さが異なっている。なお、ビットマーク１５，１１０は幅寸法が１ｍｍ程度で、互いの間に１ｍｍ程度の隙間を持って配することが好ましい。
【００５６】
また、図１４に示すように、シャッタ羽根３９に形成されているデータ写し込み用開閉部４４は、データ写し込み用の第１及び第２データ開口４５，１１１を同時に開閉する。第１，第２データ開口４５，１１１は、外光を第１及び第２ライトガイド３３，１０９の入射面３３ａ，１０９ａに導くための第１及び第２データ光路１５ａ，１１０ａ上に設けられている。
【００５７】
ストロボユニット１０５は、ストロボ基板１１９、電源電池１２０、ガイド板１２１、スイッチ板１２２などで構成されており、本体基部２３と前カバーユニット１０７との間に着脱自在に取り付けられている。ストロボ基板１１９には、ストロボ回路、メインコンデンサ、シンクロ接点、ストロボ発光部１０２などが一体的に組み込まれている。ストロボ充電スイッチ１０４は、スイッチ板１２２に形成されており、ガイド板１２１のガイドによりスライドしてストロボ回路の充電スイッチを開閉する。ストロボユニット１０５は、充電スイッチがＯＮすると、電源電池１２０の電源を利用してメインコンデンサに充電を行い、シンクロスイッチに応答してトリガ信号を放電管に印加することでメインコンデンサに蓄積した高電圧を利用して放電管が発光してストロボ発光部１０２から被写体に向けてストロボ光を照射する。
【００５８】
前カバーユニット１０７は、カバー基部１２５と化粧カバー１２６とで構成され、これらの間にデータ写し込み機構の一部を構成する操作板６０、第１遮蔽レバー６５が内蔵されている。採光窓１２は、第１及び第２データ光路１５ａ，１１０ａ上に設けられており、また、カバー基部１２５のうちの第１及び第２データ光路１５ａ，１１０ａ上には、シャッタカバー４３に設けた開口４７，１２８に外光を通す開口１２７が形成されている。
【００５９】
非ストロボ撮影のときにはストロボ撮影ビットマーク１１０を写し込まないため、ストロボ充電スイッチ１０４がＯＦＦ位置にあるときには第２データ開口１１１を遮蔽する必要がある。この遮蔽を第２遮蔽板１３１で行っている。第２遮蔽板１３１は、スイッチ板１２２に一体に設けられ、スイッチ板１２２と一緒に移動して、ストロボ充電スイッチ１０４がＯＦＦ位置のときに第２データ光路１１０ａ上に挿入されて第２データ開口１１１を遮蔽する遮蔽位置に、またＯＮ位置のときに第２データ光路１１０ａ上から退避して第２データ開口１１１を開放する開放位置に移動する。
【００６０】
ストロボ撮影のときには、ストロボ撮影ビットマーク１１０を写し込むため、ストロボ充電スイッチ１０４がＯＮ位置にあるときには、第２遮蔽板１３１がストロボ充電スイッチ１０４と一緒にスライドして、第２データ開口１１１の前から第２遮蔽板１３１が退避する。これによって、第２データ光路１１０ｂは開放状態となり、ストロボ撮影ビットマーク１１０が写真フイルム３０に写し込まれる。
【００６１】
このように記録されたビットマーク１５、１１０の有無はプリンタプロセサによって識別され、モード選択ビットマーク１５のみ（第１のモード選択データ）が記録された撮影コマに対しては、夜景モード下での撮影に適した色補正などを行ってプリントし、またモード選択及びストロボ撮影のビットマーク１５，１１０の両方（第２のモード選択データ）を記録した撮影コマに対しては、夜景モード下の光源及びストロボ光の両方を考慮した色温度でプリンタされるように色補正などが施されてプリントされる。なお、ビットマーク１５，１１０が１つも無い場合、及びストロボ撮影ビットマーク１１０のみの場合は、色補正は行われない。
【００６２】
次に上記構成の作用に説明する。先ずレンズ付きフイルムユニット２による撮影時のシーケンスを図１６に示すフローチャートを用いて説明する。昼間又は室外の撮影条件下で、通常モードで撮影を行う場合には、操作部１１を通常モード位置に、ストロボ充電スイッチ１０４をＯＦＦ位置にセットする。これにより、図１７（Ａ）に示すように、第１及び第２遮蔽板６５ｂ，１３１が遮蔽位置に位置する。この状態では、データ写し込み用開閉部４４の前で第１及び第２遮蔽板６５ｂ，１３１が第１及び第２データ光路１５ａ，１１０ａを遮断している。また、このとき、上述のように、システム感度Ｇ1 が１０．６、絞り値Ａ1 がＦ２０、シャッタ速度Ｔ1 が１／１２０（秒）の設定通りになるように露出制御機構が制御されている。
【００６３】
シャッタボタン５を押下すると、シャッタ羽根３９が一往復揺動して写真フイルム３０に撮影光が露光される。このときに、データ写し込み用開閉部４４が第１及び第２データ開口４５，１１１を開閉するが、データ写し込み用開閉部４４の前で第１及び第２遮蔽板６５ｂ，１３１が第１及び第２データ光路１５ａ，１１０ａを遮断しているので、ビットマーク１５，１１０が写真フイルム３０に写し込まれることはない。
【００６４】
室内、又は夜間の撮影条件の下で、被写体輝度が十分にあるときには、操作部１１を夜景モード位置に、ストロボ充電スイッチ１０４をＯＦＦ位置にセットする。これにより、図１７（Ｂ）に示すように、第１遮蔽板６５ｂが開放位置に、第２遮蔽板１３１が遮蔽位置に位置する。この状態では、第１データ光路１５ａはデータ写し込み用開閉部４４から採光窓１２までの間で開放され、第２データ光路１１０ａは、第２遮蔽板１３１により遮断されている。また、このとき、上述のように、システム感度Ｇ2 が４．５、絞り値Ａ2 がＦ４、シャッタ速度Ｔ2 が１／４５（秒）の設定通りになるように露出制御機構が作動する。
【００６５】
その後にシャッタボタン５を押下すると、データ写し込み用開閉部４４が開閉する。このとき、第１データ光路１５ａは開放され、第２データ光路１１０ａは遮断されているので、採光窓１２から入射する外光を利用してモード選択ビットマーク１５のみがその時点の撮影コマに対応した位置に写し込まれる。このとき、勿論、ストロボ撮影ビットマーク１１０は写し込まれない。
【００６６】
室内、又は夜間の撮影条件の下で、被写体輝度が不足しているときには、操作部１１を夜景モード位置に、ストロボ充電スイッチ１０４をＯＮ位置にセットする。これにより、図１７（Ｃ）に示すように、第１及び第２遮蔽板６５ｂ，１３１がともに開放位置に位置する。この状態では、第１及び第２データ光路１５ａ，１１０ａはデータ写し込み用開閉部４４から採光窓１２までの間でともに開放されている。また、このとき、上述のように、システム感度Ｇ2 が４．５、絞り値Ａ2 がＦ４、シャッタ速度Ｔ2 が１／４５（秒）の設定通りになるように露出制御機構が作動する。
【００６７】
その後にシャッタボタン５を押下すると、データ写し込み用開閉部４４が開閉する。このとき、第１及び第２データ光路１５ａ，１１０ａはともに開放されているので、採光窓１２から入射する外光を利用してモード選択ビットマーク１５，ストロボ撮影ビットマーク１１０の両方がその時点の撮影コマに対応した位置に写し込まれる。
【００６８】
このように、夜景モードが選択されたときには、モード選択ビットマーク１５が、さらにストロボ撮影が選択されたときには、ストロボ撮影ビットマーク１１０が各撮影コマごとに写し込まれる。撮影が終了したレンズ付きフイルムユニット１００は、写真プリントのために現像所に提出される。
【００６９】
この現像所でのプリント処理の際のシーケンスを図１８に示すフローチャートに従って説明する。現像処理の後、写真フイルム３０をプリンタプロセサ８０のフイルムスキャナ８１にセットする。フイルムスキャナ８１は、写真フイルム３０を搬送しながら、各撮影コマのプレスキャンを行ってフイルム種別コードデータ３１及びビットマーク１５，１１０を読み取る。フイルムスキャナ８１は、フイルム種別コードデータ３１及びビットマーク１５を検出すると、スキャン密度を変更し、本スキャンを行う。この時、各撮影コマの画像の他、各撮影コマのコマ番号データもスキャニングされる。
【００７０】
デジタルプリンタ８３は、コントローラ８２からの画像データとフイルム種別コードデータ３１、ビットマーク１５，１１０から読み取られた各サービス種別及びその処理条件に基づいて画像を形成するようにレーザー光による走査露光方式でカラーペーパー９０の乳剤面に順次に焼付露光する。本実施形態では、上述したようにフイルム種別コードデータ３１には、夜景モード下での撮影時に色補正を行う旨の情報が含まれており、ビットマーク１５，１１０が記録されている場合、この情報に基づいて色補正などを施すが、このとき、ビットマーク１５のみ（第１のモード選択データ）が識別されたときには、夜間又は室内の光源と自然光下との色温度の差のみを考慮した色補正が行われ、ビットマーク１５，１１０の両方（第２のモード選択データ）が識別されたときには、夜間又は室内の光源とストロボ光とのミックス光と、自然光下との色温度の差を考慮した色補正が行われる。このようにして本実施形態では、上記第１の実施形態での効果に加えてストロボ撮影時のストロボ発光による色温度の差も考慮して色補正などを施し、プリント処理を行うことができるので、より高い描写力、及び高い色再現性を持ち、高画質なプリントを得ることができる。
【００７１】
上記第１及び第２の実施形態では、データ写し込み機構の光源として外光のみを使用しているが、これに限らず、ストロボ光をライトガイドによって導光して光源として用いてもよいし、光源用のＬＥＤなどを別に設けて使用してもよい。また、上記第１及第２の実施形態では、夜景モード（システム感度Ｇの値が小さい（露出値が高い）モード）が選択されたときにビットマークを写し込んでいる例で説明したが、これに限らず、上記例とは逆に通常モード（システム感度Ｇの値が大きい（露出値が低い）モード）が選択されたときにビットマークを写し込むようにしてもよい。この場合、モード選択ビットマークが有るときは、通常のプリントを行ない、無いときは色補正などを行うようにすればよい。また、この場合、システム感度Ｇの値が大きいモードのとき、すなわち、被写体輝度が十分に大きいときにデータ写し込みを行うので、確実にビットマークを記録することができる。
【００７２】
また、本発明を、１３５タイプのフイルムパトローネを使用したレンズ付きフイルムユニット２に適用した例で説明したが、ＩＸ２４０タイプのフイルムカートリッジを使用したレンズ付きフイルムユニットに本発明を適用してもよい。
【００７３】
また、本発明を、１回使用型の簡易型カメラであるレンズ付きフイルムユニット２に適用した例で説明したが、写真フイルムを交換して複数回使用できる簡易型カメラに適用してもよい。
【図面の簡単な説明】
【００７４】
【図１】第１の実施形態を実施したレンズ付きフイルムユニットの外観を示す斜視図であり、通常モード状態を示している。
【図２】第１の実施形態を実施したレンズ付きフイルムユニットの外観を示す斜視図であり、夜景モード状態を示している。
【図３】第１の実施形態を実施したレンズ付きフイルムユニットの分解斜視図である。
【図４】本発明で使用する写真フイルムの平面図である。
【図５】写し込み機構及び露出制御機構の概略を示す分解斜視図である。
【図６】写し込み機構及び露出制御機構の概略を示す平面図であり、通常モード状態（Ａ）と夜景モード状態（Ｂ）とをそれぞれ示している。
【図７】写真フイルムに写し込むビットマークの位置を示す説明図である。
【図８】プリンタプロセサの構成の概略を示すブロック図である。
【図９】第１実施形態の撮影時におけるシーケンスを示すフローチャートである。
【図１０】第１実施形態のプリント処理時におけるシーケンスを示すフローチャートである。
【図１１】第２の実施形態を実施したレンズ付きフイルムユニットの外観を示す斜視図であり、通常モード且つ非ストロボ撮影状態を示している。
【図１２】第２の実施形態を実施したレンズ付きフイルムユニットの外観を示す斜視図であり、夜景モード且つストロボ撮影状態を示している。
【図１３】第２の実施形態を実施したレンズ付きフイルムユニットの分解斜視図である。
【図１４】写し込み機構及び露出制御機構の概略を示す分解斜視図である。
【図１５】写真フイルムに写し込むビットマークの位置を示す説明図である。
【図１６】第２実施形態の撮影時におけるシーケンスを示すフローチャートである。
【図１７】写し込み機構及び露出制御機構の概略を示す平面図であり、通常モード状態（Ａ）と夜景モード且つ非ストロボ撮影状態（Ｂ）と夜景モード且つストロボ撮影状態（Ｃ）をそれぞれ示している。
【図１８】第２実施形態のプリント処理時におけるシーケンスを示すフローチャートである。
【符号の説明】
【００７５】
２，１００  レンズ付きフイルムユニット
１１  操作部
１５，１１０  ビットマーク
３０  写真フイルム
３０ａ  撮影領域
３０ｂ  写し込み領域
３１  フイルム種別コード
３３，１０９  ライトガイド
８０  プリンタプロセサ
【図１】
2005283662.tif 000003
【図２】
2005283662.tif 000004
【図３】
2005283662.tif 000005
【図４】
2005283662.tif 000006
【図５】
2005283662.tif 000007
【図６】
2005283662.tif 000008
【図７】
2005283662.tif 000009
【図８】
2005283662.tif 000010
【図９】
2005283662.tif 000011
【図１０】
2005283662.tif 000012
【図１１】
2005283662.tif 000013
【図１２】
2005283662.tif 000014
【図１３】
2005283662.tif 000015
【図１４】
2005283662.tif 000016
【図１５】
2005283662.tif 000017
【図１６】
2005283662.tif 000018
【図１７】
2005283662.tif 000019
【図１８】
2005283662.tif 000020